(57)【要約】【課題】仏壇内への置物によって仏像を浮かせて支持することにより、仏壇そのものの構造を変更することなく仏像を浮かせて支持する。【解決手段】仏壇内に載置される台座下部１０と、該台座下部１０に対して上下動自在に支持され、仏像を支持する台座上部２０と、台座上部２０を台座下部１０に対して支持し、台座下部１０に対する台座上部２０の高さを任意に設定可能とする高さ調整手段３０とを備える。台座上部２０に仏像を載せ、台座下部１０を仏壇内に置くことで、仏像を仏壇内に載置できるため、仏壇に特別な加工を必要とせず、一般的な仏壇に適用できる。しかも、仏像は台座上部に載置されて任意の高さに支持されるため、仏壇内の仏像の収容室内高さに応じてバランスの良い高さ位置に仏像を祭り、仏像を見栄え良く見せることができる。【選択図】図２
2012080940.tif 000002
【特許請求の範囲】
【請求項１】
仏壇内に載置される台座下部と、
該台座下部に対して上下動自在に支持され、仏像を支持する台座上部と、
台座上部を台座下部に対して支持し、台座下部に対する台座上部の高さを任意に設定可能とする高さ調整手段と
を備える可動式仏像台座。
【請求項２】
前記台座上部は鉤型に形成され、鉤型を成す水平床部が仏像の下面を支持し、仏像が水平床部上に載置されたとき、鉤型を成す縦壁部が仏像の背面に位置することを特徴とする請求項１に記載の可動式仏像台座。
【請求項３】
前記台座下部の後端部には上方に延びる支柱が設けられ、前記台座上部の後端部には、前記支柱に沿って摺動可能とされた摺接部が設けられ、前記支柱に対して前記摺接部の位置を変更可能に固定する固定手段を備えることを特徴とする請求項１又は２に記載の可動式仏像台座。
【請求項４】
前記台座上部は透光材からなることを特徴とする請求項１乃至３のいずれかに記載の可動式仏像台座。
【請求項５】
前記水平床部は蓮華座によって構成されていることを特徴とする請求項２又は３に記載の可動式仏像台座。
【発明の詳細な説明】
【技術分野】
【０００１】
本発明は、仏壇内で仏像を載置するための仏像台座に関する。
【背景技術】
【０００２】
下記特許文献１には、仏壇内で本尊を祭る須弥壇を、支柱によって仏壇内の宙に浮かせて固定する浮き須弥壇が開示されている。かかる浮き須弥壇の支柱は、仏壇の壁面内に固定されている。
【先行技術文献】
【特許文献】
【０００３】
【特許文献１】実開平６−５５４８２号公報
【発明の概要】
【発明が解決しようとする課題】
【０００４】
しかし、上記浮き須弥壇は、支柱を設けるために仏壇の構造を変更する必要がある。そのため、仏壇自体が特別なものとなり、一般的な仏壇に比べて値段が高くなる。
本発明は、このような問題に鑑み、仏壇内への置物によって仏像を浮かせて支持することにより、仏壇そのものの構造を変更することなく仏像を浮かせて支持することを課題とする。
【課題を解決するための手段】
【０００５】
第１発明は、仏壇内に載置される台座下部と、該台座下部に対して上下動自在に支持され、仏像を支持する台座上部と、台座上部を台座下部に対して支持し、台座下部に対する台座上部の高さを任意に設定可能とする高さ調整手段とを備える可動式仏像台座である。
第１発明によれば、台座上部に仏像を載せ、台座下部を仏壇内に置くことで、仏像を仏壇内に載置できるため、仏壇に特別な加工を必要とせず、一般的な仏壇に適用できる。しかも、仏像は台座上部に載置されて任意の高さに支持されるため、仏壇内の仏像の収容室内高さに応じてバランスの良い高さ位置に仏像を祭り、仏像を見栄え良く見せることができる。
【０００６】
第２発明は、上記第１発明の可動式仏像台座において、前記台座上部は鉤型に形成され、鉤型を成す水平床部が仏像の下面を支持し、仏像が水平床部上に載置されたとき、鉤型を成す縦壁部が仏像の背面に位置することを特徴とする。
第２発明によれば、台座上部の水平床部に仏像を載せることにより縦壁部を仏像の光背のように機能させることができる。
【０００７】
第３発明は、上記第１又は２発明の可動式仏像台座において、前記台座下部の後端部には上方に延びる支柱が設けられ、前記台座上部の後端部には、前記支柱に沿って摺動可能とされた摺接部が設けられ、前記支柱に対して前記摺接部の位置を変更可能に固定する固定手段を備えることを特徴とする。
第３発明によれば、台座下部の後端部と台座上部の後端部との間に、台座下部に対して台座上部を上下動自在に支持及び固定する構成を設けたので、簡単な構成で台座上部を上下動自在に支持及び固定することができ、しかも支持及び固定構造は前面から隠れた位置とすることができ、見栄え良く仏像を祭ることができる。
【０００８】
第４発明は、上記第１乃至３発明のいずれかの可動式仏像台座において、前記台座上部は透光材から成ることを特徴とする。
第４発明によれば、台座上部が透光材から成るため、台座上部に仏像を載置したとき、台座上部は目立たず、仏像が浮き上がって見え、仏像を印象的に見せることができる。
【０００９】
第５発明は、上記第２又は３発明の可動式仏像台座において、前記水平床部は蓮華座によって構成されていることを特徴とする。
第５発明によれば、水平床部は蓮華座によって構成され、蓮華座は一般的に仏像が着座するものであるため、仏像は特別な台座無しで浮いているように見え、仏像を印象的に見せることができる。
【図面の簡単な説明】
【００１０】
【図１】本発明の一実施形態の斜視図である。
【図２】台座上部を高い位置で固定した状態の図１と同様の斜視図である。
【図３】図１の実施形態の正面図である。
【図４】台座上部を高い位置で固定した状態の図３と同様の正面図である。
【図５】図１の実施形態の平面図である。
【図６】図１の実施形態の側面図である。
【図７】台座上部を高い位置で固定した状態の図６と同様の側面図である。
【図８】図１の実施形態の背面図である。
【図９】台座上部を高い位置で固定した状態の図８と同様の背面図である。
【図１０】台座上部に仏像を載置した状態の図３と同様の正面図である。
【図１１】台座上部に仏像を載置し、台座下部に仏具小物を載置した状態の図４と同様の正面図である。
【図１２】本発明の一実施形態の台座を、仏像と共に仏壇内に載置した状態を示す正面図である。
【発明を実施するための形態】
【００１１】
図１〜９に示すように本発明の一実施形態の仏像台座は、仏壇内に載置される台座下部１０と、該台座下部１０に対して上下動自在に支持され、仏像を支持する台座上部２０と、台座上部２０を台座下部１０に対して支持し、台座下部１０に対する台座上部２０の高さを任意に設定可能とする高さ調整手段３０とを備えて成る。台座上部２０は鉤型に形成され、鉤型を成す水平床部２１が仏像の下面を支持し、仏像が水平床部２１上に載置されたとき、鉤型を成す縦壁部２２が仏像の背面に位置する（図１０、図１１参照）。台座下部１０を成す水平床部１１の後端部には上方に延びる支柱１２が設けられ、縦壁部２２の背面部（台座上部２０の後端部）には、支柱１２に沿って摺動可能とされた摺接部２３〜２５が設けられ、支柱１２に対して摺接部２３〜２５の位置を変更可能に固定する固定手段３１〜３６を備える。
【００１２】
台座下部１０、台座上部２０及び高さ調整手段３０を成す各部材は、ネジ体３１、３２を除いて透明のアクリル樹脂（透光材）より成り、支柱１２は水平床部１１に対して接着固定されており、摺接部の一部を成すガイド部２３、２４は、縦壁部２２の背面に対して接着固定されている。ガイド部２３、２４は支柱１２の両側部を挟むように配置され、支柱１２の背面を覆うようにガイド部２３、２４の背面には背板部２５が接着固定されている。図５に良く示されているようにガイド部２３、２４と支柱１２との摺接面は縦壁部２２の背面に直立する面に対して傾斜して形成されている。かかる傾斜した摺接面は支柱１２の幅が縦壁部２２から離れるほど幅広になるように形成されている。
【００１３】
背板部２５の両側部でガイド部２３、２４との接着部より中央側には、それぞれ上下に延びるスリット３５，３６が形成されている。また、支柱１２の上部両側部には、対を成すように雌ネジ３３、３４が形成されている。雌ネジ３３、３４にはネジ体３１、３２が螺合可能とされ、ネジ体３１、３２の軸部３１ａ，３２ａがスリット３５，３６を貫通して雌ネジ３３、３４に螺合され、ネジ体３１、３２の頭部３１ｂ，３２ｂはスリット３５，３６の背面側にあって背板部２５の背面に当接するように形成されている。
スリット３５，３６の上下寸法は、台座上部２０を台座下部１０に載置した状態、即ち台座上部２０の最下端位置において、ネジ体３１、３２がスリット３５，３６の上端に位置するようにし、台座上部２０を最上端位置まで上昇させた状態において、ネジ体３１、３２がスリット３５，３６の下端に位置するようにされている。従って、台座上部２０は、最下端位置と最上端位置との間で任意の位置に固定することができる。即ち、ネジ体３１、３２の螺合を弛め、台座上部２０を任意の高さに調整した後、ネジ体３１、３２を雌ネジ３３、３４に螺合させることにより、ネジ体の頭部３１ｂ，３２ｂにより背板部２５を支柱１２との間で挟んで台座上部２０を固定することができる。
ネジ体３１、３２の円柱形状を成す頭部３１ｂ，３２ｂの円周面上には細かなスリットが刻まれており、操作者が指先でネジ体３１、３２を回転操作し易くしている。
【００１４】
台座上部２０及び台座下部１０の各水平床部２１、１１は、その両側部及び前端部が平面視で互いに重なるように形成されており、前端部の両側コーナー部Ａ、Ｂは角を落とされ、所謂面取りをされている。これにより台座をより立体的に見せることができる。
また、台座上部２０の水平床部２１の両側部及び前端部の上面側２１ａ〜２１ｅもそれぞれ面取りされている。それにより、台座上部２０の水平床部２１上に仏像を載置する際などに台座上部２０の角に仏像５０や操作者自身の手を衝突させて、仏像５０に傷をつけたり、手に怪我をしたりすることを防止できる。
縦壁部２２の上端部２２ａは仏像５０の光背のように複数の曲面を組合せて形成されており、縦壁部２２の前面には光背に相応しい絵や模様がプリントされている。これにより、縦壁部２２の前に仏像５０を置いたとき、縦壁部２２を光背として機能させることができる。
【００１５】
以上のとおり上記実施形態によれば、図１２のように台座を仏壇４０内に置くことで、仏像５０を仏壇４０内に載置できるため、仏壇４０に特別な加工を必要とせず、一般的な仏壇４０に適用できる。しかも、仏像５０は台座上部２０に載置されて上下動自在に支持されるため、仏壇４０内で任意の高さに祭ることができる。即ち、仏壇４０内の仏像５０の収容室内高さＨに応じてバランスの良い高さ位置に仏像５０を祭り、仏像５０を見栄え良く見せることができる（図１２参照）。
なお、台座上部２０の高さを高くし、仏像５０を高い位置で保持している場合は、図１１のように台座上部２０と台座下部１０との間のスペースに水などを入れた器（仏具小物）を置くようにすることができる。
台座下部１０の後端部と台座上部２０の後端部との間に、台座下部１０に対して台座上部２０を上下動自在に支持及び固定する固定手段３１〜３６を設けたので、簡単な構成で台座上部２０を上下動自在に支持及び固定することができ、しかも支持及び固定構造は前面から隠れた位置とすることができ、見栄え良く仏像５０を祭ることができる。
また、台座上部２０が透光材である透明のアクリル樹脂から成るため、台座上部２０に仏像５０を載置したとき、台座上部２０は目立たず、仏像５０が浮き上がって見え、仏像５０を印象的に見せることができる。
【００１６】
上記実施形態では、アクリル製の台座について説明したが、台座は他の材料によって構成しても良い。例えば、檜材、アルミニウム、ステンレススチール、紙など。
また、台座上部の支柱に対して台座下部の摺接部の位置を変更可能に固定する固定手段は、摺接部のスリット３５、３６の代わりに、少しづつ高さを変えた貫通孔を摺接部に設けると共に、台座下部にも上記貫通孔に対応する大きさの穴を設け、所定高さの貫通孔を選択して、その貫通孔を貫通して上記穴に達するまでピンを挿入して、所定高さで摺接部を固定するようにしても良い。
更に、台座上部２０の水平床部２１を設けず、その代わりに仏像５０を載置するための蓮華座６０を直接縦壁部２２に接着などにより固定し、蓮華座６０上に仏像５０を載置して支持するようにしても良い。その場合、蓮華座６０が木製であり、縦壁部２２への固定が接着である場合は、縦壁部２２も木製である方が接着強度を高めることができる。蓮華座６０は一般的に仏像５０が着座するものであるため、仏像５０は特別な台座無しで浮いているように見え、仏像５０をより印象的に見せることができる。
その他、本発明は、その発明思想の範囲内で各種形態で実施可能である。
【符号の説明】
【００１７】
１０    台座下部
１１    水平床部
１２    支柱（高さ調整手段）
２０    台座上部
２１    水平床部
２２    縦壁部
２３、２４、２５  摺接部（高さ調整手段）
３１、３２  ネジ体（固定手段）（高さ調整手段）
３３、３４  雌ネジ（固定手段）（高さ調整手段）
３５、３６  スリット（固定手段）（高さ調整手段）
【図１】
2012080940.tif 000003
【図２】
2012080940.tif 000004
【図３】
2012080940.tif 000005
【図４】
2012080940.tif 000006
【図５】
2012080940.tif 000007
【図６】
2012080940.tif 000008
【図７】
2012080940.tif 000009
【図８】
2012080940.tif 000010
【図９】
2012080940.tif 000011
【図１０】
2012080940.tif 000012
【図１１】
2012080940.tif 000013
【図１２】
2012080940.tif 000014